(57)【要約】【課題】収録素材を再生、編集する際の作業効率の向上を図ることができる。【解決手段】入力インタフェース２８においてカメラ１から被収録素材の入力を受け付けると、映像管理部２９は被収録素材を一定サイズの複数の部分データに分割し、各部分データの記録順序を表す関連データと共に内蔵メモリ７に収録する。映像管理部２９は、内蔵メモリ７に収録された素材のうち指定素材について、内蔵メモリ７に収録された関連データを参照して、指定区間に相当する部分データを出力する。【選択図】図２
2009224853.tif 000002
【特許請求の範囲】
【請求項１】
ランダムアクセス可能な記録媒体と、
被収録素材の入力を受け付ける受付手段と、
前記被収録素材を複数の部分データに分割し、各部分データの記録順序を表す情報と共に前記記録媒体に収録する収録手段と、
前記記録媒体に収録された素材のうち指定素材について、前記記録媒体に収録された記録順序を表す情報を参照して、指定区間に相当する部分データを出力する出力手段と
を具備することを特徴とする映像収録装置。
【請求項２】
前記部分データは、一定のデータ量に分割されることを特徴とする請求項１記載の映像収録装置。
【請求項３】
前記部分データは、ＧＯＰ（Group Of Picture）を単位に分割されることを特徴とする請求項１記載の映像収録装置。
【請求項４】
前記部分データは、一定の記録時間を単位に分割されることを特徴とする請求項１記載の映像収録装置。
【請求項５】
前記出力手段は、前記記録媒体に収録された部分データの再生順序を指定する再生順序データにしたがって前記記録媒体から部分データを出力することを特徴とする請求項１記載の映像収録装置。
【請求項６】
ランダムアクセス可能な記録媒体に映像素材を記録する映像記録装置に用いられ、
被収録素材の入力を受け付け、
前記被収録素材を複数の部分データに分割し、前記複数の部分データを各部分データの記録順序を表す情報と共に前記記録媒体に収録し、
前記記録媒体に収録された素材のうち指定素材について、前記記録媒体に収録された記録順序を表す情報を参照して、指定区間に相当する部分データを出力することを特徴とする素材管理方法。
【発明の詳細な説明】
【技術分野】
【０００１】
この発明は、例えば、放送番組用素材の制作・編集システム等に用いられる映像収録装置及び素材管理方法に関する。
【背景技術】
【０００２】
地上デジタル放送の開始、また放送と通信の融合が進む中、放送の分野において、ますますデシタル化が進んでいる。従来、映像素材収録には磁気テープを媒体として用いてきたが、素材のデジタル化に伴い、ハードディスクまたはフラッシュメモリ等を用いた収録システムが検討されている。これにより、これまでのテープを用いたシステムではできなかった様々な機能を実現することが可能となった。
【０００３】
しかしながら、高精細映像を扱うことにより、収録素材のファイルサイズは大きくなり、素材管理に手間がかかっている。例えば、素材の一部のみが必要な場合であっても、素材の全てをコピーまたは転送することで時間がかかったり、素材を記憶するための大容量の記録媒体が必要となる等の問題が生じていた。
【０００４】
なお、本願に関連する公知文献としては、例えば次のようなものがある（特許文献１または２を参照。）。
【特許文献１】特開２００３−６１０２２公報
【特許文献２】特開２００４−３２８５６８公報
【発明の開示】
【発明が解決しようとする課題】
【０００５】
上述したように、高精細映像を扱うことにより、ファイルサイズが大きくなり、素材のコピー／転送に時間がかかったり、大容量の記録媒体が必要になる等、編集作業に手間がかかるという問題が発生している。
【０００６】
この発明は上記事情に着目してなされたもので、その目的とするところは、収録素材を再生、編集等する際の作業効率の向上を図ることができる映像収録装置及び素材管理方法を提供することにある。
【課題を解決するための手段】
【０００７】
上記目的を達成するためにこの発明に係わる映像収録装置は、ランダムアクセス可能な記録媒体と、被収録素材の入力を受け付ける受付手段と、前記被収録素材を複数の部分データに分割し、各部分データの記録順序を表す情報と共に前記記録媒体に収録する収録手段と、前記記録媒体に収録された素材のうち指定素材について、前記記録媒体に収録された記録順序を表す情報を参照して、指定区間に相当する部分データを出力する出力手段とを具備する。
【０００８】
また、この発明に係わる素材管理方法は、ランダムアクセス可能な記録媒体に映像素材を記録する映像記録装置に用いられ、被収録素材の入力を受け付け、前記被収録素材を複数の部分データに分割し、前記複数の部分データを各部分データの記録順序を表す情報と共に前記記録媒体に収録し、前記記録媒体に収録された素材のうち指定素材について、前記記録媒体に収録された記録順序を表す情報を参照して、指定区間に相当する部分データを出力する。
【発明の効果】
【０００９】
したがってこの発明によれば、収録素材を再生、編集する際の作業効率の向上を図ることができる映像収録装置及び素材管理方法を提供することができる。
【発明を実施するための最良の形態】
【００１０】
以下、図面を参照しながら本発明の実施の形態を詳細に説明する。  
図１は、この発明の一実施形態に係る映像収録装置の概観図である。映像収録装置１００にはカメラ１が接続され、カメラ１により撮像された映像が映像収録装置１００に取り込まれる。取り込まれた映像は、挿入口８に挿入されるリムーバブルメディアであるメモリパック６、あるいは装置本体に内蔵される内蔵メモリ７に収録される。メモリパック６及び内蔵メモリ７は、例えばフラッシュメモリなどのランダムアクセス可能な不揮発性半導体メモリが用いられる。フラッシュメモリは、書き換え可能な不揮発性半導体メモリであり、高速ランダムアクセス性という利点があるほか、テープや光ディスクドライブとは異なり、機械的な可動部を持たないため耐振動性などに優れている。
【００１１】
映像収録装置１００の本体前面パネルには、映像操作部３、表示部４、画面操作部５が設けられる。表示部４は、ＬＣＤ（Liquid Crystal Display）等で構成される。収録後の映像データは、映像操作部３により再生等を行うことが可能である。映像操作部３の各種ボタン（再生・停止等）やダイヤルを操作することで、収録された映像が出力部（通常背面のコネクタに設置される）に出力され、別途本装置に接続されるモニタ装置の画面にその内容を表示することができる。
【００１２】
図２は、上記映像収録装置１００の内部構成を示す機能ブロック図である。  
装置制御部２１は、ＣＰＵ（Central Processing Unit）等のマイクロプロセッサである。装置制御部２１は、カメラ１により撮像された映像を入力インタフェース２８を介して取り込み、メディアコントローラ２５を介してメモリパック６に映像データとして収録する。あるいは、上記取り込まれた映像を内蔵メモリコントローラ２６を介して内蔵メモリ７に収録する。メモリパック６又は内蔵メモリ７に収録された映像データは、ネットワークインタフェース２７を介して外部ネットワークに送出することが可能である。
【００１３】
表示制御部２２、映像再生部２４、映像管理部２９は、装置制御部２１によって実行される制御プログラムである。映像再生部２４は、装置制御部２１による制御の下で、映像操作部３で受け付けられた指示にしたがってメモリパック６又は内蔵メモリ７に収録された映像データの再生制御を行う。再生された映像は、表示制御部２２により表示部４に出力される。また、装置制御部２１は、上記再生された映像を外部出力インタフェース２３を介して別途接続されるモニタ装置に出力する。
【００１４】
映像管理部２９は、収録対象の映像データを一定サイズの部分データに分割して、各部分データの録画順序を表す情報と共にメモリパック６または内蔵メモリ７に記録する。映像データの管理方法についての詳細は後述する。
【００１５】
以下、このように構成された映像収録装置１００における素材管理方法について、各実施例に従って説明する。
【００１６】
（実施例１）  
実施例１は、映像管理部２４による映像データの収録処理について説明する。  
図３に、メモリパック６等に収録された素材の収録状態を表す。図３に示すように、映像管理部２９は、被収録素材を一定のデータ量の部分データに分割し、各部分データの録画順序を表す関連データと共に記録する。例えば、関連データは、各部分データについて、録画時刻（タイムコード）と、録画順序を表す情報とが対応付けられたものとする。なお、部分データのサイズは、例えば、１つ又は複数のＧＯＰ（Group Of Picture）、あるいは、一定の録画時間を単位に分割してもよい。また、上記分割された素材は、図４に示すように、グループ毎に分類されて収録される。例えば、収録時に登録されている素材の収録日時、撮影者、場所等の情報をもとにユーザが選択した項目による検索を自動で行い、グループ分けを行うようにする。このようにすることで、素材の検索、整理等が容易になり、素材を管理し易くなる。
【００１７】
このように一定サイズにて保存される収録素材は、再生時は上記関連情報を参照することにより、録画順序にしたがって各部分データを切り替えて映像再生部２４に再生させる。また、ユーザから素材の転送要求を受けると、映像管理部２９は、出力対象の素材と出力区間の指定とを受け付け、関連データを参照して指定区間に対応する部分データをネットワークＩ／Ｆ２７に出力する。
【００１８】
したがって、高精細映像のようにファイルサイズが大きい素材であっても、一定サイズの複数の部分データに分割されて順序情報と共に記録されるため、１つのファイルが大きくなりすぎることを防ぎ、また分割された部分データをグループ化することによりユーザはあたかも１つの素材を管理しているかのように扱うことができる。また、素材のコピー／転送時は必要な部分のみの部分データの映像データをコピー／転送すればよく、処理速度の向上を図ることができる。
【００１９】
（実施例２）  
実施例２は、分割された各部分データの映像データを複数の素材にわたって連続的に再生するものである。
【００２０】
図５に、再生順序データと素材との対応関係を示す。再生順序データは、再生対象の部分データの順序を表したもので、図５に示すように複数の素材にわたって指定することができる。映像管理部２９は、ユーザにより指定された再生順序データを参照することにより再生する素材を切り替えて映像再生部２４に再生させる。
【００２１】
このように元素材はそのままに再生順序データで指定するだけで、複数の素材にわたって部分データ単位で組み合わせて再生することが可能となる。このとき、部分データがＩフレームから始まるようにＧＯＰ単位で分割されていれば、部分データの開始時に映像が乱れるようなことがない。
【００２２】
（実施例３）  
実施例３は、編集を行う際、再生対象の部分データのみをコピーして引き出し、再生順序データとともに１つの再生リストとしてパッケージ化するものである。
【００２３】
図６は、再生順序データと再生対象の部分データをパッケージ化した再生リストを示したものである。映像管理部２９は、再生順序データに基づいて素材を他の媒体等にコピーする場合には、再生順序データで指定された部分データのみを元素材から引き出して再生順序データと共に再生リストとしてパッケージ化する。また、映像管理部２９は、再生リストのコピーを要求されたときは、元素材よりそのリストに関するファイルをコピーして引き出し、再生順序を格納するデータとともに１つの再生リストとしてパッケージ化してコピー先に移す。このようにすることで、元素材がその媒体になくても、再生リストのみで再生が可能となる。さらに、同一媒体内での素材のコピーを禁ずることにより、内蔵メモリまたはリムーバブルメディア内の容量をより有効に活用することができる。
【００２４】
以上述べたように上記実施形態では、映像管理部２９は被収録素材を一定サイズの複数の部分データに分割し、各部分データの記録順序を表す関連データと共に内蔵メモリ７に収録する。映像管理部２９は、内蔵メモリ７に収録された素材のうち指定素材について、内蔵メモリ７に収録された関連データを参照して、指定区間に相当する部分データを出力する。
【００２５】
従来、高精細映像を扱うことにより、ファイルサイズが大きくなり、素材のコピー／転送に時間がかかったり、大容量の記録媒体が必要になる等、編集作業に手間がかかっていた。上記実施形態によれば、１つの素材ファイルが大きくなりすぎることを防ぎ、また分割された部分データをグループ化することによりあたかもひとつの素材を管理しているかのように扱うことができる。これにより、記録メディアを有効に活用することができ、収録素材を再生、編集等する際の作業効率の向上を図ることができるようになる。
【００２６】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００２７】
【図１】この発明の一実施形態に係る映像収録装置の概観図。
【図２】図１に示す映像収録装置の内部構成を示す機能ブロック図。
【図３】素材の収録状態を表した図。
【図４】グループ毎に分類された素材の収録状態を表した図。
【図５】再生順序データと素材の対応関係を表した図。
【図６】再生リスト毎にパッケージ化されたイメージを表した図。
【符号の説明】
【００２８】
１００…映像収録装置、１…カメラ、３…映像操作部、４…表示部、５…画面操作部、６…メモリパック、７…内蔵メモリ、８…挿入口、２１…装置制御部、２２…表示制御部、１３…外部出力インタフェース、２４…映像再生部、２５…メディアコントローラ、２６…内蔵メモリコントローラ、２７…ネットワークインタフェース、２８…入力インタフェース、２９…映像管理部。
【図１】
2009224853.tif 000003
【図２】
2009224853.tif 000004
【図３】
2009224853.tif 000005
【図４】
2009224853.tif 000006
【図５】
2009224853.tif 000007
【図６】
2009224853.tif 000008